(57)【要約】【課題】  蓋が閉じていても無線転送中やエラー情報などの情報を取得可能なハンディターミナルを提供する。【解決手段】  ハンディターミナルの天面に多色表示可能なＬＥＤを配備し、転送中やエラー発生などの時に多色表示させる。【選択図】    図１
2008217838.tif 000002
【特許請求の範囲】
【請求項１】
オーダーエントリーシステムにおけるハンディターミナルであって、
オーダーデータに係る情報等を入力するためのキー入力部と、
オーダーデータ等を表示するＬＣＤと、
前記キー入力部から入力されたオーダーデータ等を無線転送する無線部と、
閉じたときに前記ＬＣＤを覆うように開閉可能に配される蓋と、
前記ハンディターミナルの天面に配されるＬＥＤと
を有し、
前記無線部は、前記蓋を閉じた状態で前記オーダーデータ等を無線転送し、
前記ＬＥＤは、前記蓋を閉じた状態で前記無線部が前記オーダーデータ等を無線転送中であることを確認可能に表示する、
ハンディターミナル。
【請求項２】
前記ＬＥＤは、前記ハンディターミナルにエラーが発生したときに、前記蓋を閉じた状態で前記エラーが発生していることを確認可能に表示する、請求項１に記載のハンディターミナル。
【請求項３】
ハンディターミナルと無線中継機とを含むオーダーエントリーシステムであって、
前記ハンディターミナルは、
オーダーデータに係る情報等を入力するためのキー入力部と、
オーダーデータ等を表示するＬＣＤと、
前記キー入力部から入力されたオーダーデータ等を無線転送する無線部と、
閉じたときに前記ＬＣＤを覆うように開閉可能に配される蓋と、
前記ハンディターミナルの天面に配されるＬＥＤと
を有し、
前記無線部は、前記蓋を閉じた状態で前記オーダーデータ等を無線転送し、
前記ＬＥＤは、前記蓋を閉じた状態で前記無線部が前記オーダーデータ等を無線転送中であることを確認可能に表示するものであり、
前記無線中継機は、前記ハンディターミナルの前記無線部と無線転送して、前記無線部からの前記オーダーデータを取得する、
オーダエントリーシステム。
【請求項４】
前記ハンディターミナルの前記ＬＥＤは、前記ハンディターミナルにエラーが発生したときに、前記蓋を閉じた状態で前記エラーが発生していることを確認可能に表示する、請求項３に記載のオーダーエントリーシステム。
【発明の詳細な説明】
【技術分野】
【０００１】
本発明は、外食店舗内のオーダーエントリーシステムにおいて客からの注文を入力し、無線転送するハンディターミナルに関する。
【背景技術】
【０００２】
従来のオーダーエントリーシステムのハンディターミナルにおいては、注文情報をあらかじめ指定登録してあるキー入力をおこなうことにより、その内容を白黒ＬＣＤに表示し、終了キーを押下することにより、入力された注文情報を無線で無線中継機に転送するとともに転送中である旨の表示を白黒ＬＣＤに表示し、無線中継機を介して制御装置に転送されたのち、制御装置、無線中継機を介してハンディターミナルに通信結果が通知され、次の注文情報がない場合、前記白黒ＬＣＤの転送中表示を消去もしくは書き換えていた。
【発明の開示】
【発明が解決しようとする課題】
【０００３】
従来のオーダーエントリーシステムのハンディターミナルにあっては、以下のような課題があった。
【０００４】
注文情報の表示情報量（４行（１行に漢字１０文字程度））がすくないためコースメニューの選択など１つの注文情報での選択項目が多い場合などの時にスクロールが必要になり、一覧表示での確認ができないという問題点があった。
【０００５】
また、その表示が白黒のためエラー情報（品切れなど）や選択情報の意味付けを色で区別することができないためＧＵＩ（グラフィックユーザーインターフェース）に難があった。また、注文情報の確認画面で一度に多数のオーダーが確認ができなかった。また、入力手段が制定登録されたキー入力のみなのでメニューが多い場合や操作を習熟するまでの間は操作性に難があった。
【０００６】
更に、指定登録情報のみの入力なので不定形情報の入力ができなかった。
【課題を解決するための手段】
【０００７】
本発明は、上記の課題を解決するために以下のような手段を有する。
【０００８】
注文情報の表示情報量を１０行以上（１行に漢字１０文字程度）に増やすことによりコースメニューの選択など１つの注文情報での選択項目が多い場合などの時に一覧表示を可能にした。また、これにより注文情報の確認画面で一度に多数のオーダーが確認可能になった。また、その表示を１６色以上のカラー表示が可能なＬＣＤにすることにより、エラー情報（品切れなど）や選択情報の意味付けを色で分けることができるようになりＧＵＩ（グラフィックユーザーインターフェース）が向上した。また、タッチパネルを装備することにより、キー入力以外に指やペンでのタッチ入力が可能となり、選択メニューが多い場合に直接ＬＣＤ上に設置されたタッチパネルを押下することにより、注文情報の入力が可能となり、操作性が向上した。更に、これによりペン入力により手書き文字や画像を入力することにより不定形情報の入力ができるようになった。
【発明の効果】
【０００９】
本発明は、以下に記載されるような効果を奏する。
【００１０】
注文情報の表示情報量（ＬＣＤのドット数）を１０行以上（１行に漢字１０文字程度）に増やすことにより、コースメニューの選択など１つの注文情報での選択項目が多い場合などの時に一覧表示ができる効果がある。更に、注文情報の確認画面で一度に多数のオーダーが確認可能になる。また、前記表示を１６色以上のカラー表示が可能することにより、エラー情報（品切れなど）や選択情報の意味付けを色で分けることができるようになりＧＵＩ（グラフィックユーザーインターフェース）が向上する効果がある。また、手書き入力やタッチ入力が可能なタッチパネルを装備することにより、キー入力以外に指やペンでのタッチ入力が可能となり、選択メニューが多い場合に直接ＬＣＤ上に設置されたタッチパネルを押下することにより、注文情報の入力が可能となり、操作性が向上した。
【００１１】
更に、ペン入力により手書き文字や画像を入力することにより不定形情報の入力ができるようになる効果がある。最適な例として、ライス少な目などメニュー選択にない不特定情報を手書き入力し、無線中継機を介して厨房側のディスプレイに表示させることにより伝達することができる。無線転送中やエラー表示用に多色表示可能なＬＥＤを天面に配備することにより、蓋が閉じていても無線転送中やエラー情報などをＬＥＤにより示すことにより蓋を開けなくても情報を得ることができる効果がある。
【発明を実施するための最良の形態】
【００１２】
本発明のオーダーエントリーシステムにおけるハンディターミナルでは、以下のような実施形態をとることにより様々な効果を得ることができる。
【００１３】
注文情報の表示情報量（ＬＣＤのドット数）を１０行以上（１行に漢字１０文字程度）に増やし、その表示を１６色以上のカラー表示が可能にし、手書き入力やタッチ入力が可能なタッチパネルを装備し、無線転送中やエラー表示用に多色表示可能なＬＥＤを天面に配備する。これによりコースメニューの選択など１つの注文情報での選択項目が多い場合などの時に一覧表示ができる効果がある。更に、注文情報の確認画面で一度に多数のオーダーが確認可能になる。また、エラー情報（品切れなど）や選択情報の意味付けを色で分けることができるようになりＧＵＩ（グラフィックユーザーインターフェース）が向上した。また、キー入力以外に指やペンでのタッチ入力が可能となり、選択メニューが多い場合に直接ＬＣＤ上に設置されたタッチパネルを押下することにより、注文情報の入力が可能となり、操作性が向上した。更に、ペン入力により手書き文字や画像を入力することにより不定形情報の入力ができるようになった。
【実施例】
【００１４】
実施例について図面を参照して説明する。まず図１の構成について説明する。
【００１５】
ハンディターミナルは、ＣＰＵ１、ＲＯＭ２、ＲＡＭ３、制御部４、カラーＬＣＤ５、ＬＥＤ６、キー入力部７，タッチパネル８、無線部９を具備する構成である。ＲＯＭ２には注文情報などを制御するプログラムならびに漢字フォントなどが格納されている。ＲＡＭ３には注文情報データや、制御プログラムが格納されている。制御部４は、カラーＬＣＤなどの表示や入力制御などをおこなう。
【００１６】
オペレータによるキー入力によりキー入力部７が押下されたことを制御部４が認識し、ＣＰＵ１に対して割り込みを発生させ、ＣＰＵ１が、キーの入力情報に従い、カラーＬＣＤ５に表示データを送る。また、タッチパネル８へのペン入力またはタッチ入力情報を制御部４が処理し、ＣＰＵ１に送り、入力情報に従い、カラーＬＣＤ５にＲＯＭ２もしくはＲＡＭ３のプログラムにより手書き入力座標に対応した表示情報などをおくり、カラーＬＣＤに表示させる。更に、入力が終了した時点もしくは、オーダーの確認時などに無線部９を介してオーダーデータを無線中継機に無線転送する。そして、転送中やエラー発生などの時に、多色表示が可能なＬＥＤ６をＣＰＵ１がＲＯＭ２もしくはＲＡＭ３のプログラムに従い、点滅制御を行う。
【００１７】
図２は、ハンディターミナルの外観例である。
【００１８】
蓋１０を開く（たとえばカラーＬＣＤ５側とはひんじにより接続されている）ことにより、カラーＬＣＤ５が見えるようになっており、キー入力部７の押下によるオーダー入力やタッチパネル８へのペン入力やタッチ入力によるオーダー選択や不定形情報の入力を行うことができる。そして、オーダー入力終了時に蓋１０を閉じても無線転送中やエラー情報をＬＥＤ６により確認することができる。
【００１９】
本発明は、以上説明したような形態で実施される。以下に記載されるような効果を奏する。
【００２０】
注文情報の表示情報量（ＬＣＤのドット数）を１０行以上（１行に漢字１０文字程度）に増やすことにより、コースメニューの選択など１つの注文情報での選択項目が多い場合などの時に一覧表示ができる効果がある。更に、注文情報の確認画面で一度に多数のオーダーが確認可能になる。最適な例として図３のように情報を一覧で表示できる。また、前記表示を１６色以上のカラー表示が可能することにより、エラー情報（品切れなど）や選択情報の意味付けを色で分けることができるようになりＧＵＩ（グラフィックユーザーインターフェース）が向上する効果がある。最適な例として図４のように入力ミスなどのメッセージを赤などの警告イメージのある色で表現できる。また、手書き入力やタッチ入力が可能なタッチパネルを装備することにより、キー入力以外に指やペンでのタッチ入力が可能となり、選択メニューが多い場合に直接ＬＣＤ上に設置されたタッチパネルを押下することにより、注文情報の入力が可能となり、操作性が向上した。
【００２１】
最適な例として図５のように選択メニューにてタッチパネルをタッチすることにより容易に選択できる。更に、ペン入力により手書き文字や画像を入力することにより不定形情報の入力ができるようになる効果がある。最適な例として、ライス少な目などメニュー選択にない不特定情報を手書き入力し、無線中継機を介して厨房側のディスプレイに表示させることにより伝達することができる。無線転送中やエラー表示用に多色表示可能なＬＥＤを天面に配備することにより、蓋が閉じていても無線転送中やエラー情報などをＬＥＤにより示すことにより蓋を開けなくても情報を得ることができる効果がある。
【図面の簡単な説明】
【００２２】
【図１】代表的なハンディターミナルの実施図である。
【図２】ハンディターミナルの外観例を示す図である。
【図３】情報の一覧性を示す図である。
【図４】色情報を表現する図である。
【図５】選択メニューを示す図である。
【符号の説明】
【００２３】
１    ＣＰＵ
２    ＲＯＭ
３    ＲＡＭ
４    制御部
５    カラーＬＣＤ
６    ＬＥＤ
７    キー入力部
８    タッチパネル
９    無線部
１０  蓋
【図１】
2008217838.tif 000003
【図２】
2008217838.tif 000004
【図３】
2008217838.tif 000005
【図４】
2008217838.tif 000006
【図５】
2008217838.tif 000007